(57)【特許請求の範囲】
【請求項１】
被取付部に取り付けられる器具本体と、
前記被取付部から離れる方向である下方に光を照射する第１の光源と、
前記第１の光源よりも前記被取付部の近くに位置し、かつ前記器具本体の中央部から離れる方向である外側に光を照射する第２の光源と、
前記器具本体の中央部に配置される電源収容部と、
前記電源収容部に収容される電源回路と、
前記電源回路に接続される一対の電源側コネクタと、
を備え、
前記第２の光源は、前記器具本体の前記被取付部側の面に取り付けられ、かつ前記電源収容部を取り囲むように前記電源収容部の周囲に配置される複数の発光装置を有し、
前記複数の発光装置は、
第１グループと第２グループとに分割され、
前記第１グループに属する複数の発光装置の各々は、間隔をおいて配置されると共に、隣接する発光装置同士が、第１の接続コネクタによって中継される第１の電線を介して直列に接続され、
前記第２グループに属する複数の発光装置の各々は、間隔をおいて配置されると共に、隣接する発光装置同士が、第２の接続コネクタによって中継される第２の電線を介して直列に接続され、
前記一対の電源側コネクタの各々は、前記第１グループと前記第２グループとを隔てる直線上の、前記第１グループと前記第２グループとの境界の位置に、間隔をおいて配置されており、
前記一対の電源側コネクタの間に、直列接続されている前記第１グループに属する複数の発光装置、および直列接続されている前記第２グループに属する複数の発光装置の各々が接続される照明器具。
【請求項２】
請求項１に記載の照明器具において、
前記第１グループに属する複数の発光装置の各々、および前記第２グループに属する複数の発光装置の各々は、
複数の発光素子を実装する回路基板と、
前記回路基板の、前記発光素子の実装面上における長手方向両端部に設けられる基板側コネクタと、
を有する照明器具。
【請求項３】
請求項１または請求項２に記載の照明器具において、
前記第１グループに属する発光装置と前記第２グループに属する発光装置とが、同じ高さ位置に配置されている照明器具。
【発明の詳細な説明】
【技術分野】
【０００１】
本発明は、発光素子を有する複数個の発光装置を用いた照明器具に関するものである。
【背景技術】
【０００２】
従来より、発光素子を有する複数個の発光装置を用いた照明器具が知られている（例えば、特許文献１参照）。
図１３に示すように、特許文献１に記載の照明器具は、大画面薄型のテレビジョン装置等のバックライトに好適な液晶表示装置１００であり、対をなして隣接する第１の光源モジュール１０１および第２の光源モジュール１０２を有する。
第１の光源モジュール１０１および第２の光源モジュール１０２には、各々コネクタ部１０３が設けられており、回路基板（図示省略）側のコネクタ部１０４に接続される。回路基板（図示省略）上の各コネクタ部１０４と第１の光源モジュール１０１および第２の光源モジュール１０２上のコネクタ部１０３とは、電線であるフレキシブルフラットケーブル１０５を介して電気的に接続されている。
そして、この液晶表示装置１００では、各光モジュール１０１、１０２の配線を中心に配置して、配線長が短くなるようにしている。
【先行技術文献】
【特許文献】
【０００３】
【特許文献１】特開２０１０−２７７８５３号公報（第８図）
【発明の概要】
【発明が解決しようとする課題】
【０００４】
ところで、前述したような大画面薄型のテレビジョン装置等のバックライトと同様に、照明器具においても、配線長を短くして、組立性や耐ノイズ性の向上を図ることが望まれている。
【０００５】
本発明は、従来の問題を解決するためになされたもので、複数個の発光装置を接続する配線長を短くして、組立性や耐ノイズ性の向上を図ることができる照明器具を提供することを目的とする。
【課題を解決するための手段】
【０００６】
本発明の照明器具は、被取付部に取り付けられる器具本体と、前記被取付部から離れる方向である下方に光を照射する第１の光源と、前記第１の光源よりも前記被取付部の近くに位置し、かつ前記器具本体の中央部から離れる方向である外側に光を照射する第２の光源と、前記器具本体の中央部に配置される電源収容部と、前記電源収容部に収容される電源回路と、前記電源回路に接続される一対の電源側コネクタと、を備え、前記第２の光源は、前記器具本体の前記被取付部側の面に取り付けられ、かつ前記電源収容部を取り囲むように前記電源収容部の周囲に配置される複数の発光装置を有し、前記複数の発光装置は、第１グループと第２グループとに分割され、前記第１グループに属する複数の発光装置の各々は、間隔をおいて配置されると共に、隣接する発光装置同士が、第１の接続コネクタによって中継される第１の電線を介して直列に接続され、前記第２グループに属する複数の発光装置の各々は、間隔をおいて配置されると共に、隣接する発光装置同士が、第２の接続コネクタによって中継される第２の電線を介して直列に接続され、前記一対の電源側コネクタの各々は、前記第１グループと前記第２グループとを隔てる直線上の、前記第１グループと前記第２グループとの境界の位置に、間隔をおいて配置されており、前記一対の電源側コネクタの間に、直列接続されている前記第１グループに属する複数の発光装置、および直列接続されている前記第２グループに属する複数の発光装置の各々が接続されるものである。
【０００７】
また、本発明の照明器具は、前記第１グループに属する複数の発光装置の各々、および前記第２グループに属する複数の発光装置の各々は、複数の発光素子を実装する回路基板と、前記回路基板の、前記発光素子の実装面上における長手方向両端部に設けられる基板側コネクタと、を有するものである。
【０００８】
さらに、本発明の照明器具は、前記第１グループに属する発光装置と前記第２グループに属する発光装置とが、同じ高さ位置に配置されているものである。 
【発明の効果】
【０００９】
本発明は、電源回路に接続される一対の電源側コネクタを、電源収容部の周囲に配置され、一方の側に位置する第１グループおよび他方の側に位置する第２グループの両方の発光装置に接続した。このため、配線長を短くすることができ、組立性や耐ノイズ性の向上を図ることができるという効果を有する照明器具を提供できる。
【図面の簡単な説明】
【００１０】
【図１】（Ａ）は本発明に係る第１実施形態の照明器具の断面図であり、（Ｂ）は下方から見た底面図
【図２】本発明に係る第１実施形態の照明器具の分解斜視図
【図３】図２中ＩＩＩ部分の拡大図でありロアーユニットを前上方から見た分解斜視図
【図４】ロアーユニットを後上方から見た分解斜視図
【図５】（Ａ）本発明に係る第１実施形態のロアーユニットの正面図であり、（Ｂ）は（Ａ）中Ｂ方向から見た側面図
【図６】（Ａ）はロアーユニットの配置を示す平面図であり、（Ｂ）は電線の配線を示す平面図
【図７】（Ａ）は本発明に係る第１実施形態の照明器具におけるアッパーユニットの配線を示す平面図であり、（Ｂ）は従来の配線を示す平面図
【図８】電源側コネクタおよび接続コネクタの配置を示す断面図
【図９】（Ａ）は枠体を上方から見た平面図であり、（Ｂ）は（Ａ）中Ｂ−Ｂ一の断面図
【図１０】補助光源を上方から見た分解斜視図
【図１１】補助光源を下方から見た分解斜視図
【図１２】（Ａ）本発明に係る第２実施形態のロアーユニットの正面図であり、（Ｂ）は（Ａ）中Ｂ方向から見た側面図
【図１３】従来の発光装置の一部破断の正面図
【発明を実施するための形態】
【００１１】
（第１実施形態）
以下、本発明に係る第１実施形態の照明器具について、図面を用いて説明する。
なお、以下の説明においては、照明器具を被取付面である天井面に取り付けて下方を照明する場合について説明する。
従って、特に示す場合を除き、上（上方、上側等）は天井面側を意味し、下（下方、下側等）は床面側を意味する。
【００１２】
図１（Ａ）および（Ｂ）に示すように、本発明に係る第１実施形態の照明器具１０は、被取付部である天井面１１等に取り付けられて主に下方を照明するのに適する。
図２にも示すように、照明器具１０は、天井面１１に取り付けられている引っ掛けシーリング１２に取り付けて電力を供給するために、電源収容部としての取付部材２１を中央に有する、例えば円板状の器具本体２０を有する。電源収容部としての取付部材２１には、後述するアッパーユニット（発光装置）３０、ロアーユニット４０、補助光源７０等に電力を供給する電源回路が収容されている。
また、器具本体２０の中央部における取付部材２１の近傍には、常夜灯２３が設けられている。
なお、器具本体２０の外周には、円環状の枠体２２が設けられており、枠体２２には補助光源７０が設けられている。
【００１３】
器具本体２０の上側（すなわち、天井面１１側）には、間接光源であるアッパーユニット（発光装置）３０、上枠５２および上カバー５１が設けられている。
また、器具本体２０の下側（すなわち、照明方向側）には、主光源であるロアーユニット４０、主光源用の光学部材であるレンズ４３が設けられている。
【００１４】
ロアーユニット４０は、器具本体２０の円形を複数個に分割した部分円弧状の基板４１を有しており、各基板４１には、複数のＬＥＤ４２が実装されている。各ロアーユニット４０は、下方に向けて光を照射する。
ロアーユニット４０の前方には、ロアーユニット４０が発した光を受けて光を拡散する透光性のパネル５０が設けられており、枠体２２の内側に取り付けられる。パネル５０は、下方に湾曲した曲面形状を呈している。
【００１５】
図３および図４に示すように、発光装置であるアッパーユニット３０は、ＬＥＤ（発光素子）３１を実装する回路基板３２と、回路基板３２を器具本体２０の上面に取り付けるための取付具３３と、ＬＥＤ３１の前面を覆うカバー３４を有する。
取付具３３は、器具本体２０に取り付けられる底板３３１と立壁３３２によって全体Ｌ字形状に形成されている。
【００１６】
回路基板３２は矩形状を呈しており、長手方向両端部におけるＬＥＤ３１の実装線の延長上に、各々基板側コネクタ３５が設けられている。各基板側コネクタ３５には、器具本体２０の中央部に配置される電源収容部である取付部材２１に接続される電線３６に取り付けられた供給側コネクタ３６１が各々接続される。
回路基板３２は、カバー３４の内部に設けられている嵌合部３４２に取り付けられ、カバー３４は、取付ねじ３４１によって取付具３３の立壁３３２に設けられているねじ孔３３３に取り付けられる。
【００１７】
取付具３３は、立壁３３２に取り付けられている回路基板３２上のＬＥＤ３１が、照明器具１０の外側に向くように器具本体２０の上面２０１（図６（Ａ）、（Ｂ）参照）に取り付けられる。すなわち、アッパーユニット３０は、回路基板３２およびＬＥＤ３１が器具本体２０に対して略直交する方向に設置されて、縦置きとなっている。
これにより、ＬＥＤ３１からの光は、器具本体２０の上面と略平行に外側へ向けて出射される。
なお、各アッパーユニット３０は、器具本体２０に対して同じ高さで設けられている。
【００１８】
図５（Ａ）および（Ｂ）に示すように、電線３６は、アッパーユニット３０の長手方向端部から引き込まれており、取付ねじ３４１に巻き込まれないように、上端側に偏心して配線されている。
カバー３４の長手方向両端における上端側には、ストッパ部としての突起３４３が設けられており、回路基板３２の上端側（先端側）に偏心して配線されている電線３６が、上端側に寄りすぎないように規制している。
【００１９】
図６（Ａ）に示すように、複数個（ここでは、５個）のアッパーユニット３０が、取付部材２１の周囲で器具本体２０の上面２０１に取り付けられている。
５個のアッパーユニット３０のうち、下側（図６（Ａ）において上側）の３個のアッパーユニット３０１は、均等間隔で配置されている。この３個のアッパーユニット３０１を第１グループＧ１という。
【００２０】
一方、上側（図６（Ａ）において上側）２個のアッパーユニット３０２は、互いに中心線ＣＬ１寄りに配置されている。この２個のアッパーユニット３０２を第２グループＧ２という。
なお、アッパーユニットを総称する場合には、以下の説明においても「アッパーユニット３０」で示す。
【００２１】
各アッパーユニット３０は連結されており、全体の電線３６の配線は、図６（Ｂ）に示すように、上下方向（図６（Ｂ）において上下方向）に縦長となっている。
図６（Ａ）および図７（Ａ）に示すように、第１グループＧ１と第２グループＧ２の境界には、取付部材２１に接続されて電力を供給するために、一対の電源側コネクタ３７が設けられている。
すなわち、電源側コネクタ３７は、第１グループＧ１側のアッパーユニット３０１と、第２グループＧ２側のアッパーユニット３０２の両方に接続される。
【００２２】
図８に示すように、電源側コネクタ３７は、取付部材２１側の第１電源側コネクタ３７１と、アッパーユニット３０側の第２電源側コネクタ３７２から構成され、第１電源側コネクタ３７１と第２電源側コネクタ３７２は、着脱可能となっている。
第１電源側コネクタ３７１は、器具本体２０に設けられている取付孔（図示省略）に固定されている。
【００２３】
図６（Ａ）および図７（Ａ）に示すように、電源側コネクタ３７とアッパーユニット３０との間、およびアッパーユニット３０同士の間には、接続コネクタ３８が設けられている。
接続コネクタ３８は、二つの部分からなり、着脱可能となっている。接続コネクタ３８は、電線３８１によって電源側コネクタ３７の第２電源側コネクタ３７２と接続される。
【００２４】
アッパーユニット３０と隣接する接続コネクタ３８は、前述した電線３６によって、供給側コネクタ３６１に接続される。
なお、接続コネクタ３８は、器具本体２０の外周に沿って設けられている溝２０２に収容可能となっており、輸送時等に接続コネクタ３８が暴れるのを防止している（図８参照）。
【００２５】
本発明の照明器具１０では、図７（Ａ）に示すように、各アッパーユニット３０を一周で接続するように配線されるため、図７（Ｂ）に示すように、１個の電源側コネクタ３７を用いた従来の配線と比べて、配線長が短くなる。
【００２６】
図９（Ａ）および（Ｂ）に示すように、枠体２２は円環状をしており、内部にはパネル５０が嵌まる空間２２１を有する。
また、枠体２２は、外側に向かって上方へ傾斜して張り出す枠体本体２２２を有し、枠体本体２２２には、所定間隔（ここでは、中心角１２０度）で、補助光源７０用の開口部２２３（図１参照）が設けられている。
この開口部２２３には補助光源７０が取り付けられる。
なお、開口部２２３は、枠体２２の外形に対応して、湾曲して設けられている。
【００２７】
また、枠体２２の枠体本体２２２には、センサ用開口２２４、動作表示ランプ用開口２２５および状態表示ランプ用開口２２６が設けられている。
なお、センサ２４１、動作表示ランプ２４２および状態表示ランプ２４３は、器具本体２０に取り付けられているブラケット２４に取り付けられている（図２参照）。
【００２８】
図１０および図１１に示すように、補助光源７０は、表面７２１にＬＥＤ７１を実装した回路基板７２と、回路基板７２を取り付ける取付体７３と、ＬＥＤ７１の前方を覆うカバー８０を有する。
回路基板７２、取付体７３およびカバー８０は、枠体２２の外形（円形）に合わせて湾曲しており、ＬＥＤ７１は、回路基板７２上に円弧状に実装されている。
【００２９】
回路基板７２の表面７２１において、ＬＥＤ７１が実装されている円弧線の延長には、回路基板側コネクタ７５が取り付けられており、ＬＥＤ７１に点灯電力を供給する電線７６に取り付けられている供給側コネクタ７６１に接続される。
取付体７３は、平板状の取付体本体７３１の外側縁部に外壁７３２を設け、内側縁部に内壁７３３を設けて、断面コ字形状を呈している。
【００３０】
取付体本体７３１の長手方向両端部における幅方向中央部には、取付体７３を器具本体２０に取り付けるための固定ねじ孔７３４が設けられている。
また、取付体本体７３１における固定ねじ孔７３４の長手方向内側には、カバー８０を取付体７３に取り付けるための取付ねじ孔７３５、７３６が設けられている。
【００３１】
カバー８０は、湾曲した平板状のカバー本体８１と、カバー本体８１の内側において取付体７３側に延びる内側立壁８２１および外側において取付体７３側に延びる外側立壁８２２を有する。
カバー８０の長手方向両端には、取付ねじ８３５でカバー８０を取付体７３に取り付けるためのねじ孔８３３、８３４が設けられている。
また、カバー８０における複数のＬＥＤ７１の照射方向前方（すなわち、下方）には、ＬＥＤ７１からの光を配光制御するレンズ８４が各々設けられている。
【００３２】
以上、説明した本発明に係る第１実施形態の発光装置であるアッパーユニット３０によれば、回路基板３２上に、ＬＥＤ３１を実装し、この回路基板３２を覆うようにカバー３４を取付具３３にねじ止めする。
このとき、回路基板３２に接続される電線３６を、回路基板３２の幅方向中心から端部側に偏心して配線するとともに、回路基板３２の長手方向に引き出したので、組立の際に取付ねじ３４１に巻き込まれるのを防止して、幅方向寸法を小さくできる。
また、電線３６が、回路基板３２の幅方向端部側にさらに移動するのを防止する突起３４３を設けたので、組立時に電線３６が挟み込まれるのを防止できる。
【００３３】
また、本発明のアッパーユニット３０によれば、電線３６が、回路基板３２の幅方向端部側にさらに移動するのを防止する突起３４３をカバー３４に設けたので、組立時に電線３６が挟み込まれるのを防止できる。
【００３４】
また、本発明の照明器具１０によれば、前述したアッパーユニット３０を用いたので、幅方向寸法を小さくして照明器具１０のコンパクト化が図れるとともに、組立時に電線３６が挟み込まれるの防止できる。
【００３５】
さらに、本発明の照明器具１０によれば、アッパーユニット３０が縦置きであるので、上下寸法を小さくすることができる。
また、突起３４３は少なくとも上端側に設けられているので、照明器具１０の設置時に、電線３６が上側に回り込んで上カバー５１に挟まれるのを防止できる。
【００３６】
以上、説明した本発明に係る第１実施形態の照明器具１０によれば、取付部材２１に接続される一対の電源側コネクタ３７を、取付部材２１の周囲に配置する。そして、電源側コネクタ３７を、一方の側に位置する第１グループＧ１および他方の側に位置する第２グループＧ２の両方のアッパーユニット３０に接続した。
このため、１個の電源側コネクタ３７をアッパーユニット３０に接続した従来に比べて、配線長を短くすることができ、組立性や耐ノイズ性の向上を図ることができる。
【００３７】
また、本発明の照明器具１０によれば、第１グループＧ１および第２グループＧ２の少なくとも一方が複数個のアッパーユニット３０を有する。
そして、電源側コネクタ３７が、第１グループＧ１と第２グループＧ２との境界に配置されたので、配線長を短くして、組立性や耐ノイズ性の向上を図ることができる。
【００３８】
さらに、本発明の照明器具１０によれば、第１グループＧ１のアッパーユニット３０１と第２グループＧ２のアッパーユニット３０２とが、同じ高さ位置に配置されているので、配線長を短くして、組立性や耐ノイズ性の向上を図ることができる。
【００３９】
（第２実施形態）
次に、本発明に係る第２実施形態の照明器具について、図面を用いて説明する。
なお、前述した第１実施形態に係る照明器具１０と共通する部位には同じ符号を付して、重複する説明を省略することとする。
図１２に示すように、第２実施形態の照明器具１０Ｂでは、アッパーユニット３０Ｂのカバー３４に設けられた突起３４３に、電線３６が仮固定される溝部３４４を設けた。
【００４０】
以上、説明した本発明に係る第２実施形態の照明器具１０Ｂによれば、突起３４３に、電線３６が仮固定される溝部３４４を設けたので、電線３６が、回路基板３２の幅方向端部側にさらに移動するのを防止するとともに、電線３６がばたつくのを防止できる。
【００４１】
なお、本発明の照明器具は、前述した各実施形態に限定されるものでなく、適宜な変形、改良等が可能である。
例えば、前述した各実施形態においては、突起３４３をアッパーユニット３０、３０Ｂのカバー３４の上端側のみに設けたが、下端側にも設けることも可能である。
また、突起３４３をカバー３４に設けた場合を例示したが、突起を取付具３３に設けることも可能である。
さらに、本発明を発光装置としてのアッパーユニット３０に適用した場合について説明したが、発光装置としての補助光源７０に適用することも可能である。
【符号の説明】
【００４２】
１０  照明器具
２０  器具本体
２１  取付部材（電源収容部）
３０、３０１、３０２、３０Ｂ  アッパーユニット（発光装置）
３７  電源側コネクタ
Ｇ１  第１グループ
Ｇ２  第２グループ
【図１】
0005884092.tif 000002
【図２】
0005884092.tif 000003
【図３】
0005884092.tif 000004
【図４】
0005884092.tif 000005
【図５】
0005884092.tif 000006
【図６】
0005884092.tif 000007
【図７】
0005884092.tif 000008
【図８】
0005884092.tif 000009
【図９】
0005884092.tif 000010
【図１０】
0005884092.tif 000011
【図１１】
0005884092.tif 000012
【図１２】
0005884092.tif 000013
【図１３】
0005884092.tif 000014